(57)【要約】ＣＤ／ＣＤＲＷ／ＤＶＤ記憶媒体、計器、プロモーション・ディスプレー、自動車または電子機器のつまみまたはボタン、および装飾品に付随する印を照らすのに適した、また分解による空気浄化に適した、様々な異なる照明および放射装置に紫外ＬＥＤを組み込む。印は、この印を見えるようにする紫外放射に反応する材料からなる。本装置は、自動車両、商用プロモーションおよびディスプレー、電子装置に用いることができ、紫外ＬＥＤは、印に対して紫外放射を向けるように方向付けられ、また、空気浄化に適するようにも配置される。実施形態は、本発明の実施形態の、上方、側方および下方からの紫外ＬＥＤのものについて示す。
2006524879.tif 000002
【特許請求の範囲】
【請求項１】
紫外反応性材料からなる画像を有する表面を有するデータ記憶素子と、
紫外放射を画像上に与えるように配置された紫外放射源と
を備える組立品。
【請求項２】
前記紫外放射源が前記データ記憶素子を収容するケース内に配置されている、請求項１に記載の組立品。
【請求項３】
前記紫外放射源が前記データ記憶素子からデータを読み取る読取装置上に配置されている、請求項１に記載の組立品。
【請求項４】
前記データ記憶がＤＶＤおよびＣＤディスクのうちの一つである、請求項１に記載の組立品。
【請求項５】
空気流中に配置されたフレームと、
前記フレーム上に取り付けられ、前記空気流中の有害要素を破壊するように前記空気流が通過する紫外線フィールドを生成する、複数の固体紫外ＬＥＤと
を備える空気浄化装置。
【発明の詳細な説明】
【発明の分野】
【０００１】
本発明は、一般に、メーターパネルを構成しうる指示計器等の照明装置、例えば自動車両内で用いられる方向指示計器、乏しいライティング条件下で照らされる、ＤＶＤもしくはＣＤ等の記憶媒体、ポスターまたは絵等の照明、および空気浄化システムの改良物であって、全て紫外ＬＥＤを用いているものに関する。
【従来技術の説明】
【０００２】
本明細書に参照により援用する、係属中の米国特許出願第１０／１３９６６０号および、２００３年１１月４日付けの特許査定通知において、紫外ＬＥＤを用いた様々な応用例が説明されている。以下の概念は、前記特許の基本的な特許発明の様々な外延をなすものである。
【発明の目的および概要】
【０００３】
したがって、本発明の目的は、紫外ＬＥＤの上記利用法を拡張し、対象となる印、ならびにロゴおよび他の装飾要素に、十分な照明すなわち放射を提供することができる新規の改良されたシステムを提供することにある。
【０００４】
本発明の他の目的は、微光中でまたは暗闇で、ＤＶＤまたはＣＤ等の記憶媒体を見るための改良された照明装置を提供することにある。
【０００５】
本発明の他の目的は、車両、またはステレオ・システム等の電子装置のつまみまたはコントロールボタン上の印、数字またはロゴの、改良された照明を提供することにある。
【０００６】
本発明の他の目的は、自動車に用いられる機器または計器の下方または背後から照明を提供することにある。
【０００７】
本発明の他の目的は、ポスターまたは絵等の商用または家庭用の広告の照明を提供することにある。
【０００８】
さらなる目的は、有機物質を、吸収するのではなく分解する、紫外ＬＥＤを用いた空気浄化システムを提供することにある。
【０００９】
本発明は、規則正しい、系統立ったまたはランダムな配置で、表面上、内部、もしくは中央近傍、側方、上方または背後に発光要素を配置し、発光性にするまたは前記物品の内部または近傍に設置された電子回路によって作動させることで、これらの目的を達成しようとするものである。
【００１０】
特には、光源は、美的であるが機能的であり、観察者には実質的に見えないようにして、カバーまたは物品自体の内面上に、または中に埋め込んで配置するものである。
【００１１】
多くの場合に、様々な対象物が、暗闇で、または微光条件下で観察可能である必要がある。これが不可能である場合、または十分な照明を与えることが不都合である場合、エッジ効果型のライティングを用いて、またはバックライト型の照明を用いて（光源は、観察すべき対象物内に内蔵するか、またはその背後に配置する）、直接的にまたは側方から観察される対象物を照らすのに、低レベルのライティングを与える。しかし、これらの解決法は、せいぜい並のライティングを提供するものであるために、満足できるものではないことが分かっている。さらに、多くの場合に、これらの型の装置は、美的に心地よいものではない。
【００１２】
例えば、ほとんどの自動車、自動二輪車または航空機には、夜の、または低い視認条件での視認性を得るために、何らかの形態の室内照明および／または計器照明が用いられている。この照明システムは、通常、エレクトロルミネセンス（ＥＬ）装置、白熱装置またはＬＥＤ装置に基づくものであり、これらは特別の制御装置、電源、調光器等を必要とする。
【００１３】
改良された照明が有用であろう他の例は、自動車用、およびステレオ等の電子機器用のつまみおよびボタンである。乏しいライティング条件下では、ほとんどのつまみまたはボタンは、照明がほとんどあるいは全く与えられておらず、そのため見るのが非常に困難である。
【００１４】
対象物のライティングの効果的な手段の１つには、いわゆるブラックライトが含まれる。この型のライティングは、微光条件下で照明を提供するのに特に望ましく、蛍光性インクと組み合わせて、または照明すべきその対象物に蛍光色が塗布された対象物と組み合わせて用いる場合、特に有用である。しかし今に至るまで、全てのブラックライト光源は、紫外光を透過し、ほとんどの可視光を遮断するようになされたフィルターでコーティングされた高電圧管または白熱電球からなるものであった。通常、これらのフィルターは、電源を入れたときに裸眼で光が見えるように、紫領域で管から少量の光を漏れさせるものである。
【００１５】
同様に、紫外光源は、ＣＤ／ＤＶＤのケースに近接させて、またはその中に配置し、微光中または暗闇での視認性を得るために、蛍光またはりん光処理されたＣＤまたはＤＶＤ等の記憶媒体を照らすのに用いることができる。
【００１６】
商用のディスプレー装置内の一体化されたユニットとして、または額縁もしくはテンプレートのまわりに、紫外光源は、最大限の照明が得られるように配置されるのが望ましい。最も効率的な環境下では、単一の紫外ＬＥＤ光源は、効果的な照明を得るための所定の距離で、照らされる対象物の上方に、確実に利用者の視界または周囲に干渉しないように配置しうる。紫外光源は、全領域を覆う広い放射状パターンを与えるようにすることも、所望の照明領域に光を集める指向性の円錐またはシールドを用いて修正することもできる。
【００１７】
紫外光に反応するインクまたは他の材料（蛍光またはりん光性インク等）を、ＣＤまたはＤＶＤ等の記憶媒体、つまみまたはボタンに塗布し、またはこれに加工し、赤、緑、黄、オレンジ、青または紫等の複数の色の形状、線図、ロゴ、画像または数字にすることができる。
【００１８】
紫外光源はまた、有機物質を分解するのにも用いることができる。これは、紫外光源が空気で運ばれる有機物質を照らすようにして空気流と交わるように配置すると、空気浄化において最も効果的であるということが分かる。
【００１９】
本発明は、以下の説明を、同様な符号が同様な部分を示している添付の図面とともに参照することによって、よりよく理解されよう。
【発明の詳細説明】
【００２０】
図１は、ＣＤ、ＤＶＤ、ＣＤＲＷまたは他の同様な電子記憶媒体等の典型的な記憶媒体１８を示している。この媒体は、以下でより詳細に論じるように、紫外光に反応する蛍光もしくはりん光性インクまたは他の同様な材料を用いて処理されていることが好ましいラベル２２が設けられた上面を有している。ラベルとの用語は、本明細書中では、インクがその上に置かれた基材からなるラベルだけでなく、ディスク上に直接置かれた紫外反応材料の純粋な層をも含むように広範囲に使用する。さらに、ディスク１８は、上側、下側および／または周縁部に１つ以上のそのようなラベルを有していてもよい。
【００２１】
このラベルは、デザイン、画像、ロゴまたは印を含みうるまたはこれらの形態で提供しうるものであり、紫外光に反応することから、紫外光源にさらすと光を放つ、すなわち蛍光を発する。りん光性材料は、紫外放射を蓄え、紫外光源が取り除かれてもまたは無能力化されても、長時間にわたり可視照明としてそのエネルギーを解放するということに留意することは重要である。このことは、識別もしくは検査のために、または低い視認性条件である間に、特に有用である。
【００２２】
ラベルは、ラベルをデザインし、蛍光またはりん光性インクを用いて印刷することができるソフトウエアを用いてオフィスのまたは家庭のプリンターを利用して、または商業的に生産することができる。
【００２３】
図２は、紫外光源１４によって照らされるキーボード１２を有するノート型コンピュータ１０を示している。加えて、示されているように、一方の側面には、このノート型コンピュータはディスク１８を選択的に収容するためのトレー１６を備えるドライブを有している。紫外ＬＥＤ２０等の少なくとも１つの紫外光源が、ディスク１８を照らすために、トレー内またはその上方に配置されている。紫外ＬＥＤはまた、トレー付近に、すなわちトレーに近接させて配置してもよく、トレーまたはノート型コンピュータ１０のハウジング内の保護位置から回動してもよい。紫外ＬＥＤは、トレー１６を開くときに、紫外ＬＥＤがディスク１８上のラベル２２を照らすことができる位置に飛び出るように、ばねで負荷をかけておいてもよい。標準的なコンピュータ、ソニーのウォークマン（登録商標）等の携帯用クラムシェル装置、垂直または水平電子ステレオ・システム等におけるクラムシェル装置、または、ディスク１８を保管するのに用いる入れ物においてさえも、同じ原理を利用して紫外ＬＥＤを配置しうる。
【００２４】
図２の実施形態においては、トレー１６が開くと、紫外ＬＥＤ２０が作動し、トレーが閉じられるまで「オン」位置にとどまる。紫外ＬＥＤ２０はまた、リモートで操作されるか、またはトレー１６の近くに配置されたボタン（不図示）によって作動させることができる。このボタンは、また、ディスク１８の表面上にあってもよい。このボタンは、３秒の間隔またはランダムに等の、様々なインクリメントで作動するように予めプログラムしておいてもよい。
【００２５】
ディスク本体１８Ａにはまた、図３Ａおよび図３Ｂに示すように、デザイン、画像、ロゴまたは印が描かれていて、紫外光を受けて発光するようにするりん光性または蛍光性材料を用いて処理されている、ディスク１８を形成するための事前包装されたラベル２２が設けられていてもよい。
【００２６】
この思想を新規にしているのは、ディスクが、紫外光を用いて暗闇でも見られうるということである。このディスクの表示は、新規であるとともに、暗い部屋、クラブ、または車両内において実用的である。紫外ＬＥＤの出現に伴い、単一のＬＥＤを処理された記憶媒体上に向け、可視照明を作動させずにアーティスト、曲、デザイン、画像、ロゴまたは印を読むことが可能とされる。
【００２７】
図４Ａおよび図４Ｂには、透明なまたは半透明のカバー２６を有するディスク１８を収容するケース（すなわちＣＤケース）２４が示されている。少なくとも１つの光源、好ましくは紫外ＬＥＤ２８は、ディスク１８の上方に配置し、例えばカバー２６に固定する。あるいは、図４Ｂに示すように、２つ以上の紫外ＬＥＤ２８を、ケース内で、ディスク１８の周辺に配置してもよい。紫外ＬＥＤを作動させると、これがラベル２２上のりん光性または蛍光性インクを励起させる。
【００２８】
図５は、ケース２６のあるまたはない、いくつかのディスク１８を収容するディスプレーゾーンを有するディスプレーケース３０を示している。ディスプレーケース３０は、さらに、側壁３４と、水平延長部４２を有する端壁３６とを備えている。少なくとも１つの、好ましくは複数の紫外ＬＥＤ３８を、側壁３４または延長部４２に配置する。壁４０等、ディスプレーケース上にも、ディスプレーゾーン３２内のＣＤケース２６にも配置しうる画像、ロゴ、デザインまたは印を励起するために、紫外ＬＥＤは、系統的にまたはランダムに作動させる。さらに、ゾーン３２は、部品をりん光性または蛍光性材料を用いて処理した時計または他の製品を収容するのに利用することもできる。このディスプレーケース３０は、小売りや展示会に、また、その中に収められた製品に関心を引くのに有効である。
【００２９】
図６には、ＣＤまたはＤＶＤプレーヤー５６のイジェクトシステムに近接して、自動車のダッシュボード５２内に配置された、少なくとも１つの紫外ＬＥＤ５０が示されている。自動車のプレーヤー５６は、通常、トレーを有しておらず、ディスク１８をイジェクトする。紫外ＬＥＤ５０は、ダッシュボード５２内から、イジェクト部の上方または側方からこれに近接させて配置することができ、ディスクをイジェクトするときに、３秒の間隔等、予めプログラムされたまたはランダムなインクリメントで照らしてもよい。独立した作動ボタンを、電子システムの正面に配置しても、またはリモートコントロール上に配置してもよい。
【００３０】
他の紫外ＬＥＤを、自動車のセンターコンソール５８の他の部分に、またはそれに近接させて配置することができる。これらの紫外ＬＥＤは、上方に、くぼんだすなわちへこんだ穴の中に、あるいは側方から配置するが、それでも、個々の紫外照明をボタン、つまみ等に与えるものである。このボタンまたはつまみは、暖房、冷房、換気の調節のためのものとも、または時計の調節のためのものともしうる。ボタン、つまみまたは時計の文字盤を、りん光性または蛍光性材料で処理することができ、この材料は、電磁放射を吸収し、紫外ＬＥＤが停止された後も、蓄えられたエネルギーを可視照明として解放する。
【００３１】
図７Ａ、図７Ｂおよび図７Ｃは、カンバス、紙または他の材料の基材７６上の画像、ロゴまたはデザイン７４からなる絵７２を収容する額縁７０を示している。額縁は、例えば映画館内の宣伝用映画ポスターを収容できる。絵７２は、縁６８およびバック・パネル（不図示）に入れられている、または囲まれている。縁６８は、複数の紫外ＬＥＤ７８を支持する厚さおよび能力を有するものである。それぞれの紫外ＬＥＤ７８は（本実施形態、および他の全ての実施形態において）、縁６８に埋め込まれた、図７Ｂに示すフレキシブル回路７５に実装することができる。図７Ａに見られるように、紫外ＬＥＤ７８は、放射して絵７２に照明を与え、紫外反応性要素７４を励起させるように配置する。好ましくは、１０Ｘ紫外ＬＥＤ「ブリキ缶」構造を、広い放射状パターンと共に用いるが、狭い放射状パターンと共にこれらの紫外ＬＥＤを、絵７２の特定の領域に正確に向けてもよい。紫外ＬＥＤ「ブリキ缶」パッケージを、フレキシブル回路７５に接続し、装飾的な理由および美的な理由から、額縁すなわち構造体の内側の凹部に沿って配置してもよい。ゾーン７４は、可視塗料と共に、蛍光性材料および／またはりん光性材料からなる、またはこれらを用いて処理するものである。
【００３２】
あるいは、紫外ＬＥＤを、額縁内に埋め込むのではなく、絵７２の上方で延長する片持ち支持体に取り付けることができる。額縁７０は、プラスチックまたはガラスからなる保護シート７７をも含みうるものであり、上記片持ちの紫外ＬＥＤは、シート７７に固定することができる。また紫外ＬＥＤ７８は、シート７７上に直線的に実装し、本明細書に参照により援用する米国特許第６４８６５６１号に開示されているような、薄く、ほとんど不可視の導体に接続する。紫外ＬＥＤは、絵７２に面して、その側方から、または、その背後から放射を当てるように傾けられるであろう。
【００３３】
図７Ｃは、図７Ａの額縁７０の小さいタイプであり、紫外照明を小さな絵７２Ｃに与えることができるものを示している。紫外ＬＥＤ７８Ｃは、表面または辺に向けて、またはそれに沿って、または絵の背後から放射を当てるように配置する。紫外ＬＥＤは、フレキシブル回路に半田付けされた「ブリキ缶」パッケージで提供するか、または、特定の位置に最大限の照明を与えるように独立して配置することもできる。理想的には、照明は、表面もしくは辺に沿って、または絵の背後から、一様に分布した照明を与えるのが望ましい。
【００３４】
図８Ａおよび図８Ｂには、りん光性または蛍光性材料で処理された周囲ディスク状または皿状ダイアル８４に対して下方または側方に放射が向けられた、つまみ８２の下方の凹んだ領域内に配置された電磁放射装置、好ましくは、紫外ＬＥＤ「ブリキ缶」８０が示されている。ダイアル８４には、画像、ロゴ、デザイン、数字または他の印３３が設けられており、紫外放射により励起されると光を放つ。つまみ８２およびダイアル８４は、電子装置の一部となりうる。ダイアル８４上の画像または印は、例えば７時の位置８６から始まって５時の位置８８に向かって、色の彩度が変化していてもよい。紫外ＬＥＤは、微光条件下でも暗闇でも、印をはっきりと視認可能にするものである。
【００３５】
図８Ｃは、他のつまみ８２Ｃおよびダイアル８４Ｃの平面図を示している。つまみ８２Ｃは、下方に、側方に、あるいは、りん光性もしくは蛍光性材料からなる、またはこれを用いて処理された印８３Ｃに向けてある角度で放射するように配置および方向付けされた少なくとも１つの紫外ＬＥＤ８０Ｃを備えている。つまみ８２Ｃまたはダイアル８４Ｃを回すと、紫外ＬＥＤは、直接紫外ＬＥＤ８０Ｃの正面または下方にある印８３Ｃの部分だけを励起させる。印８３Ｃは、多くの色を持っていてもよく、これらは、音量や強さ等の様々なパラメータに対応しうるものである。あるいは、紫外ＬＥＤ８０、８０Ｃは、予め選択されたパラメータを示す様々な出力を有する電流源に接続され、そして画像８３、８３Ｃの輝度が、そのパラメータと関連するものである。紫外ＬＥＤ８０、８０Ｃの輝度が、つまみ８２、８２Ｃがその軸の周りで回されるにつれて変えられてもよい。
【００３６】
他の実施形態（不図示）は、紫外ＬＥＤが側面から傾けられているが、画像の上方にあるように凹んでいる、（ロゴ、印、または情報を含む画像を有しうるつまみの、内側中央開口部の表面上もしくはその周りに、または外縁の内側に、電磁放射装置、好ましくは紫外ＬＥＤを備えるものである。画像は、紫外ＬＥＤが放射を発したときに、画像がそのエネルギーを蓄え、紫外ＬＥＤの電源が切られた後でも、それを可視照明として解放するように、りん光性または蛍光性材料で処理されている、またはそれからなるものである。凹んだつまみは、日々の使用によって画像がすり減らないように、また、破損からの保護カバーとしても機能する、つまみ全体を覆う透明または半透明のカバーを有していてもよい。この凹んだつまみは、微光中または暗闇での視認性を得るために、自動車、自動二輪車、または航空機設計に非常に効果的である。
【００３７】
図８Ｄおよび図８Ｅには、適当なプレーヤー８５に入れられたＣＤまたはＤＶＤ８１等の１つ以上の電子記憶媒体が示されている。プレーヤーは、片持ち支持体を用いた読取ヘッド８７を備えている。少なくとも１つの紫外ＬＥＤ８０が、読取ヘッドの上面、側面、下面、またはそれに近接して配置されており、媒体８１の表面に向けて電磁放射を放出し、その上に形成された画像８３Ｄを励起させる。プレーヤー８５は、示すように、いくつかのつまみ８２およびダイアル８４を備えている。
【００３８】
図９Ａ〜図９Ｆは、計器パネル上の他の型の計器９０を示している。例えば、この計器は、車両のダッシュボード上の速度計または回転速度計としうるものである。この計器は、中央フランジ９２を有するディスク状最上層９１を備えている。
【００３９】
図９Ｂに示す計器の第２層９３は、フランジ９１を受け入れる中央開口部９４を有する受け皿形状ないしはプレート形状である。第２層の外縁上には、数字、ダッシュまたは他の印を含みうる画像９５がある。画像９５は、蛍光性またはりん光性材料からなるまたはそれを含むものである。
【００４０】
図９Ｃは、中央フランジ９２で連結接続される２つの層９１および９３を示している。
【００４１】
図９Ｄは、中央開口部９７および複数の紫外ＬＥＤ９８を有する回路基板９６を示している。他の電子部品（不図示）もまた、必要に応じて回路基板９６上に置かれる。電子部品および紫外ＬＥＤ９８は、接続端子９６Ｂで終わる導線９６Ａによって電力が供給される。
【００４２】
図９Ｅに示すように、回路基板９６は、層９１および９３の間に挟まれている。紫外ＬＥＤ９８からの紫外光は、２つの層の間を進み、外縁の画像９５を照らす。
【００４３】
図９Ｆの実施形態は、回路基板９６が層９１の下面に取り付けられている以外は、図９Ｅのものと同様である。層９１の下面および層９３の上面は、反射コーティングを有し、これにより、最大限の電磁放射が外縁および画像９５に届くようにしてもよい。
【００４４】
図９Ｇは、計器９０の平面図である。紫外ＬＥＤ９８を作動させると、りん光性または蛍光性の画像９５が励起され、可視照明としてエネルギーを解放する。針９９は層９１の上に取り付けられており、層９１および９３を貫通する軸（不図示）により回動可能である。
【００４５】
あるいは、「ブリキ缶」内の４つの紫外ＬＥＤ９８を回転速度計または速度計の文字盤表面の直下に取り付け、「ブリキ缶」の頂部だけが表面を通して現れるようにするが、表面の頂部に沿って１８０度の電磁放射パターンを表面を通して与えるのに十分に離れているようにすることもできる。外周部のどの部分も蛍光性またはりん光性材料で処理されていれば、励起されて、蓄えられたエネルギーを可視照明として解放するであろう。
【００４６】
図１０Ａ〜図１０Ｄは、クロスハッチング効果を生じるように設定され、紫外光線１０２の目に見えないシートすなわち平面を作り出す、高輝度紫外ＬＥＤ１００を用いた装置を示している。紫外ＬＥＤ１００は、紫外スペクトルの放射を生み出し、有機物質が分解されて、空気で運ばれる細菌を除去する空気浄化の効果的なソリッド・ステートの方法を提供するものである。紫外ＬＥＤ１００は、フレーム１０４上で、一様に、ランダムに、クラスター配置で、または放射状の配置で、間隔を空けて配置し、放射ゾーンを提供することができる。フレーム１０４は、車、飛行機、オフィス、家庭等の、空気調和装置、加湿器、除湿器、暖房等の空気処理装置に取り付ける、またはこれと一体化させる。フレーム１０４は、装置からのまたは装置内の空気の流れすなわち気流Ａが、フィールド１０２を通過して、空気で運ばれる細菌粒子が破壊されるように配置する。紫外ＬＥＤは、流出エアフィルターの前方または後方に配置しうる。紫外ＬＥＤは、空気処理装置の電源が入れられたときに作動し、外部の空気を自動車の内部に入れるか、または緊急事態時に空気浄化を可能とするように設計しうる。空気で運ばれる粒子または細菌が換気装置に入り、紫外ＬＥＤの電磁放射を通過させられると、速やかかつ効率的に分解され、外部の空気で運ばれる粒子および細菌からの安全性が与えられる。
【００４７】
明らかに、多くの他の改変を、添付の特許請求の範囲において画定されるような範囲から逸脱せずに、本発明に対してなしうる。
【図面の簡単な説明】
【００４８】
【図１】記憶媒体の正面図を示している。
【図２】本発明によるライティングを提供するようになされたノート型コンピュータを示している。
【図３Ａ】本発明による記憶媒体を示している。
【図３Ｂ】本発明による記憶媒体を示している。
【図４Ａ】保護ＣＤケース内の記憶媒体の正面図を示している。
【図４Ｂ】保護ＣＤケース内の記憶媒体の正面図を示している。
【図５】本発明による商品のディスプレーおよびプロモーションのための装置を示している。
【図６】本発明による様々なライティング装置を有する自動車のセンターコンソールを概略的に示している。
【図７Ａ】額縁を示している。
【図７Ｂ】額縁を示している。
【図７Ｃ】額縁を示している。
【図８Ａ】つまみを示している。
【図８Ｂ】つまみを示している。
【図８Ｃ】つまみを示している。
【図８Ｄ】つまみを示している。
【図８Ｅ】つまみを示している。
【図９Ａ】計器の細部を示している。
【図９Ｂ】計器の細部を示している。
【図９Ｃ】計器の細部を示している。
【図９Ｄ】計器の細部を示している。
【図９Ｅ】計器の細部を示している。
【図９Ｆ】計器の細部を示している。
【図９Ｇ】計器の細部を示している。
【図１０Ａ】空気浄化装置を示している。
【図１０Ｂ】空気浄化装置を示している。
【図１０Ｃ】空気浄化装置を示している。
【図１０Ｄ】空気浄化装置を示している。
【図１】
2006524879.tif 000003
【図２】
2006524879.tif 000004
2006524879.tif 000005
2006524879.tif 000006
【図５】
2006524879.tif 000007
【図６】
2006524879.tif 000008
2006524879.tif 000009
2006524879.tif 000010
2006524879.tif 000011
2006524879.tif 000012
2006524879.tif 000013
2006524879.tif 000014
2006524879.tif 000015
【国際調査報告】
2006524879.tif 000016
2006524879.tif 000017